(57)【要約】【課題】付着した細菌、ウィルスなどの微生物を死滅させることができるフェイスマスクを提供する。【解決手段】人体の鼻および口を覆うのに十分な大きさの本体と、前記本体を顔面の所定の位置に保持する保持部材とを備えたフェイスマスクにおいて、前記本体は、酸化チタン、特にアナターゼ結晶またはブルッカイト結晶の酸化チタン粒子を担持させた通気性布帛、さらに必要により鉄フタロシアニンポリカルボン酸、鉄フタロシアニンポリスルホン酸、コバルトフタロシアニンポリカルボン酸、コバルトフタロシアニンポリスルホン酸、これらの水溶性塩などの金属フタロシアニン誘導体が担持された通気性布帛を含んで構成されている。【選択図】          図１
2004357871.tif 000002
【特許請求の範囲】
【請求項１】
人体の鼻および口を覆うのに十分な大きさの本体と、前記本体を顔面の所定の位置に保持する保持部材とを備えたフェイスマスクにおいて、前記本体は、酸化チタン粒子を担持させた通気性布帛を含んで構成されていることを特徴とするフェイスマスク。
【請求項２】
前記本体は、さらに金属フタロシアニン誘導体が担持された通気性布帛を含んで構成されていることを特徴とする請求項１に記載のフェイスマスク。
【請求項３】
前記酸化チタン粒子が、アナターゼ結晶またはブルッカイト結晶であることを特徴とする請求項１または２に記載のフェイスマスク。
【請求項４】
前記金属フタロシアニン誘導体が、下記の一般式（式中、Ｒはカルボキシル基、スルホン酸基、およびこれらの水溶性塩から選ばれる基であり、ｎは１または２の整数、Ｍは鉄、コバルト、マンガン、チタン、バナジウム、ニッケル、銅、亜鉛、モリブデン、およびタングステンからなる群から選ばれた金属元素を表す）で表される金属フタロシアニン誘導体であることを特徴とする請求項２に記載のフェイスマスク。
【化１】
2004357871.tif 000004
【請求項５】
金属フタロシアニン誘導体は、鉄フタロシアニンポリカルボン酸、鉄フタロシアニンポリスルホン酸、コバルトフタロシアニンポリカルボン酸、コバルトフタロシアニンポリスルホン酸、およびこれらの水溶性塩から選ばれる一種以上であることを特徴とする請求項２に記載のフェイスマスク。
【発明の詳細な説明】
【０００１】
【発明の属する技術分野】
本発明は、鼻と口を覆うために顔面に装着されるフェイスマスクに関し、とくに楽に呼吸ができるにもかかわらず、優れた殺菌能力を有するフェイスマスク（以下、単に「マスク」と記す）に関するものである。
【０００２】
【従来の技術】
大気中に存在する花粉や粉塵等の微細粒子が呼吸に伴って体内に取り込まれるのを防止する目的で、古くからマスクが使用されてきた。最も簡易なマスクは、適当な大きさになるように数層に折り畳んだガーゼの両端にゴムひもを通すループを形成した構造のもので、この形態のマスクが多数市販されている。
【０００３】
また、このような基本的な形態のマスクに、補助的に、その内側に別の濾過層を重ねる場合があり、この濾過層に、特定の目的に適合する機能性を付与したものも提案されている。例えば、鼻部及び口部を覆うことができるように半球状に成形されたマスクにおいて、不織布に高吸水性繊維を混合した布で構成した、鼻翼部及び口部を包囲する環状の部材を取り付け、着用時に呼気に含まれる湿気や顔面からの汗を吸収し、顔面のべとつきによる不快感をなくすとともに接顔部の密着化を向上させるようにしたマスクが提案されている〔例えば、特許文献１参照〕。
【０００４】
また、花粉症に改善効果がある揮散成分を含有するプロポリスエキス液を含浸させた布をガーゼで包んで濾過層とし、これをマスクの内側に当てて使用する形態のマスク〔例えば、特許文献２参照〕、濾過層に、吸気の脱臭を目的として、活性炭と植物ポリフェノールまたはその加水分解物からなる組成物を含浸させたマスク〔例えば、特許文献３参照〕、あるいは絹を分解して粉体化又は溶液化した物質を含浸させたマスク〔例えば、特許文献４参照〕などの提案がある。
【０００５】
【特許文献１】
特開２０００−２１７９４０号公報
【特許文献２】
特開平５−７６５９７号公報
【特許文献３】
特開平８−２９１０１３号公報
【特許文献４】
特開平１０−１２７３０１号公報
【０００６】
【発明が解決しようとする課題】
しかしながら、前記のようなマスクにおける改良は、マスクの装着状態を改善したり、特定の機能性を付与するという点に向けられており、マスクの本来の機能、すなわち有害物質、特に最近やウィルスの外部からの侵入もしくは外部への放散を防止するという機能についてはほとんど配慮されていない。
かかる観点から、本発明の目的は、マスクに付着した細菌、ウィルスなどの微生物を死滅させることができ、併せて消臭機能もあるフェイスマスクを提供することにある。
【０００７】
【課題を解決するための手段】
本発明は、上記課題を解決すべくなされたもので、請求項１に記載の発明は、人体の鼻および口を覆うのに十分な大きさの本体と、前記本体を顔面の所定の位置に保持する保持部材とを備えたフェイスマスクにおいて、前記本体は、酸化チタン粒子を担持させた通気性布帛を含んで構成されている。
【０００８】
請求項２に記載の発明は、請求項１に記載のフェイスマスクにおいて、前記本体は、さらに金属フタロシアニン誘導体が担持された通気性布帛を含んで構成されている。
【０００９】
請求項３に記載の発明は、請求項１または２に記載のフェイスマスクにおいて、前記酸化チタン粒子が、アナターゼ結晶またはブルッカイト結晶である。
【００１０】
請求項４に記載の発明は、請求項２に記載のフェイスマスクにおいて、前記金属フタロシアニン誘導体が、下記の一般式（式中、Ｒはカルボキシル基、スルホン酸基、およびこれらの水溶性塩から選ばれる基であり、ｎは１または２の整数、Ｍは鉄、コバルト、マンガン、チタン、バナジウム、ニッケル、銅、亜鉛、モリブデン、およびタングステンからなる群から選ばれた金属元素を表す）で表される金属フタロシアニン誘導体である。
【００１１】
【化２】
2004357871.tif 000003
【００１２】
請求項５に記載の発明は、請求項２に記載のフェイスマスクにおいて、金属フタロシアニン誘導体は、鉄フタロシアニンポリカルボン酸、鉄フタロシアニンポリスルホン酸、コバルトフタロシアニンポリカルボン酸、コバルトフタロシアニンポリスルホン酸、およびこれらの水溶性塩から選ばれる一種以上である。
【００１３】
【発明の実施の形態】
本発明の一実施の形態について図面を参照して説明する。
図１は、本発明の第１の実施の形態によるマスクを示す正面図で、図中の符号１は、ガーゼのような通気性布帛を複数層になるように折りたたんで構成したマスク本体１を示し、この本体１には、その両端を折り返すことにより形成した２重部分でそれぞれ縫合線２して上下に通じる通路を形成し、その各々の通路を貫通してループ状の弾性紐３が取り付けられている。このマスクの構造自体は通常のガーゼマスクと実質的に同じであり、本体１は、この例では弾性紐３である保持手段により、顔面の鼻および口を覆う所定の装着位置に保持されるようになっている。
【００１４】
また図２は、通気性布帛として、やや剛性の高いものを使用し、これをほぼ半球状に成形して本体１１とし、この本体１１の相対向する縁部に、保持手段としての弾性紐１３を取り付けた構造のマスクの形態を示している。
なお、図示したマスクの具体的な形態は単なる例示であり、顔面の所定の位置に装着して呼吸気を濾過し得るものであれば、その形態や大きさを問わない。また保持手段として弾性紐を用いたが、他の保持手段、例えば弾性のない紐を頭の後ろ側で結ぶようなものであってもよい。
【００１５】
本発明においては、本体１を構成するガーゼなどの布帛、特に外部に露出する部分の布帛に、酸化チタンの微細粉末が付着されている。布帛に酸化チタン微細粉末を付着させる手段としては、例えば酸化チタン微細粉末の分散媒、または酸化チタンのコロイドゾルに布帛を浸漬させるか、または布帛にスプレーすることにより含浸させ、次いで乾燥させることにより可能である。
【００１６】
布帛に含浸された分散液またはゾル中の酸化チタンは、布帛を構成する繊維の微細な間隙に入り込み、液体成分が蒸発して除去された後には布帛の組織中に残り保持される。
【００１７】
酸化チタンは、その結晶系の相違から、結晶形が正方晶のアナターゼおよびルチルと、斜方晶のブルッカイトに分類され、このうちアナターゼとブルッカイトが光触媒としての機能が大きく、本発明の使用には好ましい。
【００１８】
本発明においては、酸化チタンとともに、さらに金属フタロシアニン誘導体、特に前記一般式（１）で表される金属フタロシアニン誘導体を併用することが有効である。金属フタロシアニン誘導体は、とりわけ、金属が鉄、またはコバルトであり、具体的には鉄フタロシアニンポリカルボン酸、鉄フタロシアニンポリスルホン酸、コバルトフタロシアニンポリカルボン酸、コバルトフタロシアニンポリスルホン酸、およびこれらの水溶性塩から選ばれるのが好ましく、これらを一種、または二種以上を組み合わせて用いる。
【００１９】
金属フタロシアニン誘導体を布帛に含浸させるには、金属フタロシアニン誘導体を水または有機溶剤に溶解させ、この中に布帛を浸漬させるか、または布帛にスプレーし、その後乾燥して行うことができる。
【００２０】
酸化チタン、金属フタロシアニン誘導体が含浸された布帛をマスクとするとき、酸化チタンと金属フタロシアニン誘導体が同時に含浸された布帛を用いてもよく、または酸化チタンだけが含浸された布帛と金属フタロシアニン誘導体だけが含浸された布帛をそれぞれ組み合わせてマスクとしてもよい。いずれの場合も、酸化チタンが含浸された布帛は最外部に配置するようにする。また、何も含浸していない布帛を組み合わせて用いることは何ら差し支えなく、最内側の肌に接する部分は何も含浸していない布帛を置くことはむしろ好ましい形態である。
【００２１】
本発明のマスクの機能について以下に説明する。本発明のマスクは、酸化チタン、またはさらに金属フタロシアニン誘導体が担持された通気性布帛を濾過層の一部として構成されている。この濾過層は、マスクの装着状態で、着用者の鼻および（または）口から行われる呼吸に従って生じる空気流が透過する際に微細な粒子を捕捉する。通常のマスクでは、布帛に捕捉された細菌、ウィルス等の微生物は、日光にあたったときに一部死滅する程度で長期間生き続けることが多い。本発明のマスクは、酸化チタンが担持されてあり、太陽の直接光はもちろん、部屋の蛍光灯程度の弱い光でもその光触媒機能により微生物を死滅させることができる。
【００２２】
酸化チタンの光触媒による殺菌作用については、すでにいくつかのメカニズムが提示されているが、酸化チタンに光、とくに紫外線が当たると、水酸基、さらにはスーパーオキサイトアニオンラジカルが生成され、これらのラジカルが殺菌作用に有効であるといわれている。また酸化チタンは、殺菌作用に加えて、臭気成分を分解ないし変質させて臭気のない物質に変換することができ優れた消臭作用を発揮する。また、このような作用は、水分の存在により増強されるが、呼気中には水蒸気の形態で十分な水分が含有されているので、酸化チタンの光触媒作用は最大限に発揮される。
【００２３】
金属フタロシアニン誘導体も、殺菌、消臭機能があり、特にマスクにおいては使用者の呼気中には水蒸気により布帛中の金属フタロシアニン誘導体に適度な湿りを与えるの効果的に殺菌、消臭機能を高めることができる。
【００２４】
【発明の効果】
以上に述べたように本発明によれば、顔面に装着した状態で呼吸気を濾過し得る形態のマスクにおいて、通気性布帛に酸化チタンを担持させることにより、さらに金属フタロシアニン誘導体を併用することによりマスク上にある微生物を死滅させることができ、マスク布帛の殺菌、加えて口臭成分や使用後のマスクに残る臭い成分をも分解することができ、殺菌、消臭に顕著な効果を発揮する。したがって、従来のマスクでは有効でなかったウィルスの除去にも卓効を示し、インフルエンザはＳＡＲＳウィルス等の侵入も有効に阻止することが可能である。
【図面の簡単な説明】
【図１】本発明の一実施の形態によるマスクの正面図である。
【図２】本発明の他の実施の形態によるマスクを示す斜視図である。
【符号の説明】
１、１１：  本体
２：  縫合線
３、１３：  弾性紐
【図１】
2004357871.tif 000005
【図２】
2004357871.tif 000006